(57)【要約】 【課題】  コップ状のキャップ体を備えた携帯用の飲料容器に適する栓体を提供する。【解決手段】容器装着体１と蓋体２とで構成し、容器装着体１が容器本体の開口部への装着部１１と、底面に流出口を設けた椀状で、前方に周壁部からなる飲み口１３３を形成した流路部１３と、流路部両側外方に設けた係止受部１４と、流路部の上縁後方に設けた横軸枢結部１５を備え、蓋体２を、横軸枢結部にヒンジ連結し、下面に流出口を閉口する閉塞部２３を突設した後方回動部材２ａと、両側下方に係止受部に係止する係止鉤２８を下設し、後方回動部材２ａの前方に揺動自在に軸支すると共に、係止方向に付勢する前方ロック部材２ｂで形成してなる。【選択図】図２
2018177342.tif 000002
【特許請求の範囲】
【請求項１】
容器装着体と蓋体とで構成され、容器装着体が容器本体の開口部への装着部と、底面に流出口を設けた椀状で、前方に周壁部からなる飲み口を形成した流路部と、流路部両側外方に設けた係止受部と、流路部の上縁後方に設けた横軸枢結部を備え、蓋体を、横軸枢結部にヒンジ連結し、下面に流出口を閉口する閉塞部を突設した後方回動部材と、両側下方に係止受部に係止する係止鉤を下設し、前記後方回動部材の前方に揺動自在に軸支すると共に、係止方向に付勢する前方ロック部材で形成してなることを特徴とする飲料用容器の栓体。
【請求項２】
後方回動部材における閉塞部上方をボックス状の凹部に形成し、前記凹部内に揺動軸後方部が出没可能に前方ロック部材で前記凹部を覆い、凹部内に発条を内装して前方ロック部材における前記揺動軸後方部を上方へ付勢してなる請求項１記載の飲料用容器の栓体。
【請求項３】
凹部の両側外壁における揺動軸の連結位置下方に、傾斜上滑面と傾斜上滑面の下端に連続する係止下面で形成される係止受部を設け、前方ロック部材の両側に傾斜下滑面と傾斜下滑面の上端に連続する係止爪面で形成される係止鉤を設けてなる請求項２記載の飲料用容器の栓体。
【請求項４】
後方回動部材におけるヒンジ連結箇所の前方部分を凹状面に形成してなる請求項１乃至３記載の何れかの飲料用容器の栓体。
【請求項５】
コップ状のキャップ体が被冠装着された容器体の開口部に装着してなる請求項１乃至４記載の何れかの飲料用容器の栓体。
【発明の詳細な説明】
【技術分野】
【０００１】
本発明は、コップ状のキャップ体を備えた携帯用の飲料容器に適する栓体に関するものである。
【背景技術】
【０００２】
携帯用の飲料容器は、容器本体と、容器本体の開口部に装着される栓体と、更に前記栓体を覆うように装着されるキャップ体とで構成されるものが知られており、当該飲料用容器に採用される栓体は、特許文献１，２に示されているように、底面に流出口を設けた椀状の周壁部からなる飲み口を備えた容器装着体に、前記流出口を開閉する蓋体を煽り回動構造で装着しており、且つ前記蓋体閉塞時に蓋体の不測の開放を阻止するロック機構を付設している。
【０００３】
前記特許文献に開示されているロック機構は、容器装着体のヒンジ連結個所と反対側の飲み口の前方外周面に係止受部を設け、蓋体に前記係止受部に係止する係止爪を備えた係止動作部を設けている。
【０００４】
また飲料容器においては、前記の特許文献１，２に開示されている飲み口の前方での係止の他に特許文献３には、容器装着体の流出路の上縁側方個所に係止鉤部（係止受部）を形成し、蓋体の両側方個所に突出した係止爪を前後スライドさせる係止動作部が開示されている。
【先行技術文献】
【特許文献】
【０００５】
【特許文献１】特開２０１１−１１１１７５号公報。
【特許文献２】特開２０１３−７５７１９号公報。
【特許文献１】特開２００８−１３７６５７号公報。
【発明の概要】
【発明が解決しようとする課題】
【０００６】
キャップ体を装備する携帯用飲料容器の栓体は前記の特許文献１，２に示したように、キャップ体を被冠する必要上、容器装着体側に係止動作部を設けることができないので、蓋体の上部に係止動作部を設けている。このため飲み口の前方外周面に係止受部を設けており、係止受部の凹凸構成が喫飲時に口に当たり好ましく無い。
【０００７】
また特許文献３に開示した係止動作部を含め、係止動作部が流出路出口全体を覆う蓋体の本体に、スライド構造で組み込まれており、全体の構造が複雑になり、分解洗浄が困難であり、而も蓋体の全体の容積も大きくなり、キャップ体を装備することを考慮した場合に、必ずしも好ましいとは言えない。
【０００８】
また特許文献１，２の蓋体の煽り回動における開口時の位置が１８０度以上に開口しない構造となっているため、喫飲時に蓋体が顔に近接するという不都合（不快感）がある。
【０００９】
そこで本発明は、係止動作部自体が容器装着体の流出路出口を塞ぐ蓋体の一部として機能する簡易な構造の栓体を提案したものである。
【課題を解決するための手段】
【００１０】
本発明の請求項１記載に係る飲料用容器の栓体は、容器装着体と蓋体とで構成され、容器装着体が容器本体の開口部への装着部と、底面に流出口を設けた椀状で、前方に周壁部からなる飲み口を形成した流路部と、流路部両側外方に設けた係止受部と、流路部の上縁後方に設けた横軸枢結部を備え、蓋体を、横軸枢結部にヒンジ連結し、下面に流出口を閉口する閉塞部を突設した後方回動部材と、両側下方に係止受部に係止する係止鉤を下設し、前記後方回動部材の前方に揺動自在に軸支すると共に、係止方向に付勢する前方ロック部材で形成してなることを特徴とするものである。
【００１１】
而して前記栓体は飲料容器の容器本体開口部に装着して使用されるもので、蓋体の煽り開閉で流出口の開閉を行うと共に、閉口時に回動付勢された前方ロック部材の係止鉤が係止受部に係止して閉口状態が維持され、開口時に前方ロック部材の後方部位を付勢力に抗して下圧揺動すると、流路部側方に配置された係止受部から係止鉤が離脱し蓋体の開口回動が可能となるものである。
【００１２】
また本発明の請求項２記載に係る飲料用容器の栓体は、特に後方回動部材における閉塞部上方をボックス状の凹部に形成し、前記凹部内に揺動軸後方部が出没可能に前方ロック部材で前記凹部を覆い、凹部内に発条を内装して前方ロック部材における前記揺動軸後方部を上方へ付勢してなるもので、前方ロック部材の揺動軸後方部の下方移動（揺動）で係止状態の着脱がなされる。
【００１３】
また本発明の請求項３記載に係る飲料用容器の栓体は、前記凹部の両側外壁部における揺動軸の連結位置下方に、傾斜上滑面と傾斜上滑面の下端に連続する係止下面で形成される係止受部を設け、前方ロック部材の両側に傾斜下滑面と傾斜下滑面の上端に連続する係止爪面で形成される係止鉤を設けてなるもので、蓋体を閉口回動させると、傾斜上滑面と傾斜下滑面が当接し、閉口回動に伴って前方ロック部材が揺動し、係止爪面が係止下面に至り、係止されてロック状態となる。
【００１４】
また本発明の請求項４記載に係る飲料用容器の栓体は、後方回動部材におけるヒンジ連結箇所の前方部分を凹状面に形成してなるもので、蓋体開口時に容器装着体における横軸枢結部の下方外周の周壁部と蓋体との当接によって制限される蓋体開口角度を、凹状面としたことによって、蓋体開口角度が大きくなる。
【００１５】
本発明の請求項５記載に係る飲料用容器の栓体は、コップ状のキャップ体が被冠装着された容器体の開口部に装着してなるもので、栓体を覆うように装着されるキャップ体を採用する携帯用の飲料容器に本発明を適用するものである。
【発明の効果】
【００１６】
本発明の構成は上記のとおりで、蓋体のロックを行う動作部分を、蓋体を構成する部材となる前方ロック部材を採用することによって栓体構造の簡素化を実現すると共に、係止構造部分を飲み口の側方に設けることによって口当たりの不快感を解消したものである。
【図面の簡単な説明】
【００１７】
【図１】本発明の実施形態の全体斜視図（閉口時）。
【図２】同図（開口時）。
【図３】同蓋体の分解斜視図。
【図４】同栓体の断面図（開口時）
【図５】同容器体装着時の断面図。
【発明を実施するための形態】
【００１８】
次に本発明の実施形態について説明する。実施形態に示した栓体は、所定の容器本体Ａの開口部に装着され、且つ容器本体Ａに装着されるキャップ体Ｂ内に納まるものである。
【００１９】
容器本体Ａは、例えばステンレス製真空二重容器で、円筒状の容器部０１の上部の開口部０２の外周面にキャップ体Ｂの螺合用螺旋条０３が形成され、内周面に栓体装着用の螺旋条０４が形成されているものである。
【００２０】
栓体は、容器装着体１と、蓋体２とで構成され、容器装着体１は、装着部１１と、周壁部１２と、流路部１３と、係止受部１４と、横軸枢結部１５を備えてなる。
【００２１】
装着部１１は、容器装着体１の下方部分を構成するもので、容器本体Ａの開口部０２に螺合される筒状であり、下縁に容器本体Ａの開口部０２を水封するパッキン１１１を付設してなる。また周壁部１２は、容器本体Ａの開口部０２に装着した際に、開口部０２の上端縁及び上端外周を被覆するように設けたものである。
【００２２】
流路部１３は、装着部１１の上方に形成されたもので、底面１３１に流出口１３２を設けた椀状で、前方周壁部を飲み口１３３の形状に形成したものである。
【００２３】
係止受部１４は、前記流路部１３の周壁両側外方に設けたもので、前方に滑り落ちる形状の傾斜上滑面１４１と、前記傾斜上滑面１４１の下端に連続する係止下面１４２で形成され、横軸枢結部１５は、流路部１３の上縁後方に設けたもので、ヒンジ軸となる横軸１５１の軸受けとなるものであり、また横軸枢結部１５の外周下方適宜位置に係止凹部１５２を形成してなる。
【００２４】
蓋体２は、後方回動部材２ａと前方ロック部材２ｂを備えてなり、両部材２ａ，２ｂは、揺動軸３で連結されると共に、付勢機構（発条）４を付設したものである。
【００２５】
後方回動部材２ａは、連結腕部２１と、凹部２２と、閉塞部２３と、凹状面２４を備えてなる。
【００２６】
連結腕部２１は、後方に突設して横軸枢結部１５の両側に配置され、横軸１５１で容器装着体１と連結して、蓋体２全体の煽り回動をなし、後述する閉塞部２３で、流出口１３２の開閉を行う。
【００２７】
凹部２２は、流出路１３内に納まるボックス形状に形成したもので、側壁前方に軸孔２２１を設けると共に前壁２２２を備え、凹部内底面にバネ支持部２２３を突設してなる。また閉塞部２３は、凹部２２の底面から垂設した筒状装着部２３１に、適宜なクッション機能を備えた閉塞キャップ２３２を装着して構成する。
【００２８】
更に凹部２２と連結腕部２１との間の上面部分は、蓋体２の煽り回動時に周壁部１２と当接する箇所を凹状面２４に形成し、凹状面２４の後縁には、係止凹部１５２と対応する係止突部２４１を設けたものである。
【００２９】
前方ロック部材２ｂは、揺動軸連結部（軸孔）２５と、後方部２６と前方部２７と係止鉤２８を備えてなるもので、後方部２６が、前記揺動軸連結部（軸孔）２５を備えて凹部２２の開口部分に納まり、軸孔２２１，２５を貫通する揺動軸３で後方回動部材２ａに揺動可能に連結されるものである。この揺動軸３による連結に際しては、予め凹部内のバネ支持部２２３に発条４を装着し、後方部２６を上方へ付勢してなるものである。
【００３０】
前方部２７は、両端に係止鉤２８を設け、前記後方回動部材２ａと共に流路部１３の開口上面全体を覆う形状としたもので、下面が前壁２２２と当接するように設けてなる。
【００３１】
係止鉤２８は、係止受部１４と対応する位置に設けたもので、蓋体２の煽り回動で傾斜上滑面１４１と当接する傾斜下滑面２８１と傾斜下滑面２８１の上端に連続する係止爪面２８２で形成される。
【００３２】
而して前記栓体は飲料容器の容器本体Ａの開口部０２に容器装着体１を螺合装着して使用されるもので、蓋体２の煽り開閉に伴う閉塞部２３による流出口１３２の開閉を行うものである。
【００３３】
即ち蓋体２の閉口操作（前方部２７の押し込み操作）を行うと、傾斜上滑面１４１と傾斜下滑面２８１が当接し、更に押し込むことで前方ロック部材２ｂが僅かに揺動し、係止爪面２８２が係止下面１４２の位置に達すると、前方ロック部材２ｂの揺動が復帰して、係止爪面２８２と係止下面１４２が係止されてロック状態となる（図１）。
【００３４】
前記のロック状態で、後方部２６を下圧して前方ロック部材２ｂを揺動させると、係止爪面２８２と係止下面１４２との係止が解除され、当該状態で下圧を解除すると、閉塞部２３のクッション機能で蓋体２全体が煽り回動し、そのまま蓋体２を全開すると、喫飲可能状態となる。
【００３５】
更に喫飲に際しては、飲み口１３３の前面には従前栓体のような係止受部が存在しないので、不快感なく喫飲ができる他、喫飲のために容器本体Ａを傾けても、凹状面２４を設けたことにより、蓋体２を１８０度以上に開口することができ、且つ係止凹部１５２に係止突部２４１が係止することで、当該開口状態が維持され、喫飲時に蓋体２が邪魔にならない。
【符号の説明】
【００３６】
１      容器装着体
１１    装着部
１１１    パッキン
１２    周壁部
１３    流路部
１３１    底面
１３２    流出口
１３３    飲み口
１４    係止受部
１４１    傾斜上滑面
１４２    係止下面
１５    横軸枢結部
１５１    横軸
１５２    係止凹部
２      蓋体
２ａ    後方回動部材
２ｂ    前方ロック部材
２１    連結腕部
２２    凹部
２２１    軸孔
２２２    前壁
２２３    バネ支持部
２３    閉塞部
２３１    筒状装着部
２３２    閉塞キャップ
２４    凹状面
２４１    係止突部
２５    揺動軸連結部（軸孔）
２６    後方部
２７    前方部
２８    係止鉤
２８１    傾斜下滑面
２８２    係止爪面
３      揺動軸
４      付勢機構（発条）
Ａ      容器本体
Ｂ      キャップ体
０１    容器部
０２    開口部
０３    キャップ体螺合用螺旋条
０４    栓体装着用螺旋条
【図１】
2018177342.tif 000003
【図２】
2018177342.tif 000004
【図３】
2018177342.tif 000005
【図４】
2018177342.tif 000006
【図５】
2018177342.tif 000007